(57)【要約】【課題】  垂直スタッキング及びネスティングが可能なスタッキング椅子において、多数の椅子を安定に且つ最接近させて垂直スタッキングできるとともに、垂直スタッキングにおける椅子の積み上げ及び積み下ろし作業を容易に行えるスタッキング椅子を提供する。【解決手段】  左右一対の支持体４を連結杆５，６で連結した支持フレーム１と、該支持フレームで支持された座部２と背凭れ部３とを備えた垂直スタッキングが可能なスタッキング椅子であって、支持体は下方へ向けて前後に等しい角度で開いた前脚杆９と後脚杆１０を有するとともに、前脚杆の上端から後方へ斜め上方に傾斜した傾斜杆１１を有し、垂直スタッキング時に上下の椅子の前脚杆同士と後脚杆同士がそれぞれ接合するとともに、上下の椅子の傾斜杆の間に隙間Ｓが形成される。【選択図】        図５
2011136101.tif 000002
【特許請求の範囲】
【請求項１】
左右一対の支持体を連結杆で連結した支持フレームと、該支持フレームで支持された座部と背凭れ部とを備えた垂直スタッキングが可能なスタッキング椅子であって、前記支持体は下方へ向けて前後に等しい角度で開いた前脚杆と後脚杆を有するとともに、前脚杆の上端から後方へ斜め上方に傾斜した傾斜杆を有し、垂直スタッキング時に上下の椅子の前脚杆同士と後脚杆同士がそれぞれ接合するとともに、上下の椅子の傾斜杆の間に隙間が形成されることを特徴とするスタッキング椅子。
【請求項２】
前記傾斜杆の後端から後方斜め上方に背凭れ杆を延設し、該背凭れ杆の傾斜角度を前記前脚杆と後脚杆の開き角度以上とするとともに、前記後脚杆が前記傾斜杆の後端部の外側に張り出して固定されている請求項１記載のスタッキング椅子。
【請求項３】
前記座部は、座フレームの後端部を前記支持体の内側に位置して上下回動可能に連結し、水平使用状態と前記背凭れ部に対して略平行な跳ね上げ状態をとることが可能であり、該座部を跳ね上げ状態で前後にネスティング可能としてなる請求項１又は２記載のスタッキング椅子。
【請求項４】
左右の前記支持体は、前記前脚杆の上端部間と前記背凭れ杆間をそれぞれ前連結杆と後連結杆で連結するとともに、水平使用状態にある座部の座フレームの一部を前記前連結杆に載支してなる請求項３記載のスタッキング椅子。
【発明の詳細な説明】
【技術分野】
【０００１】
本発明は、スタッキング椅子に係わり、更に詳しくは垂直スタッキング及びネスティングが可能なスタッキング椅子に関するものである。
【背景技術】
【０００２】
従来から垂直スタッキング及びネスティングが可能なスタッキング椅子は各種提供されている。ここで、ネスティングとは、複数の椅子を前後方向に水平スタッキングすることである。通常、スタッキング椅子は、金属パイプや金属棒体で作製した支持フレームに座部を水平使用状態と跳ね上げ状態にできるように上下回転可能に連結し、座部を水平使用状態のままで垂直スタッキングし、座部を跳ね上げ状態でネスティングするようになっている。
【０００３】
例えば、特許文献１に記載された椅子は、前脚杆と背凭れ杆を同一の直杆とし、その直杆の上下中間部で外側位置に、後脚杆の上端を固定部材で固定したフレーム構造を有し、座部は前記固定部材に対して上下回動可能に保持している。この椅子は、垂直スタッキング時に、上下の椅子の後脚杆同士が接合するとともに、下方の椅子の固定部材は上方の椅子の前脚杆に接触し、更に上下の椅子の背凭れ部同士が接触した状態となる。
【０００４】
従って、特許文献１に記載の椅子は、垂直スタッキング状態で、上下の椅子の前脚杆の間に隙間が生じるので、その隙間の分だけ積み上げた際に高さが高くなる。また、垂直スタッキング状態で、上下の椅子の背凭れ部同士が接触するので、多数の椅子を積み上げた際に、下部の椅子の背凭れ部には大きな荷重が加わり、傷付きや破損の恐れもある。更に、ネスティング状態では、後方の椅子の跳ね上げ状態の座部の裏面側に前方の椅子の背凭れ部の背面側が接触した状態となり、後方の椅子の左右前脚杆が前方の椅子の左右後脚杆の間に位置しているものの、前後方向に移動させる際に前側又は後側から押すと、接触が不安定であるので、直線整列状態を維持することが不可能である。
【先行技術文献】
【特許文献】
【０００５】
【特許文献１】特許第４２１２３２６号公報
【発明の概要】
【発明が解決しようとする課題】
【０００６】
そこで、本発明が前述の状況に鑑み、解決しようとするところは、垂直スタッキング及びネスティングが可能なスタッキング椅子において、多数の椅子を安定に且つ最接近させて垂直スタッキングできるとともに、垂直スタッキングにおける椅子の積み上げ及び積み下ろし作業を容易に行えるスタッキング椅子を提供する点にある。
【課題を解決するための手段】
【０００７】
本発明は、前述の課題解決のために、左右一対の支持体を連結杆で連結した支持フレームと、該支持フレームで支持された座部と背凭れ部とを備えた垂直スタッキングが可能なスタッキング椅子であって、前記支持体は下方へ向けて前後に等しい角度で開いた前脚杆と後脚杆を有するとともに、前脚杆の上端から後方へ斜め上方に傾斜した傾斜杆を有し、垂直スタッキング時に上下の椅子の前脚杆同士と後脚杆同士がそれぞれ接合するとともに、上下の椅子の傾斜杆の間に隙間が形成されることを特徴とするスタッキング椅子を構成した（請求項１）。
【０００８】
更に、前記傾斜杆の後端から後方斜め上方に背凭れ杆を延設し、該背凭れ杆の傾斜角度を前記前脚杆と後脚杆の開き角度以上とするとともに、前記後脚杆が前記傾斜杆の後端部の外側に張り出して固定されていることが好ましい（請求項２）。
【０００９】
また、前記座部は、座フレームの後端部を前記支持体の内側に位置して上下回動可能に連結し、水平使用状態と前記背凭れ部に対して略平行な跳ね上げ状態をとることが可能であり、該座部を跳ね上げ状態で前後にネスティング可能としてなることがより好ましい（請求項３）。
【００１０】
そして、左右の前記支持体は、前記前脚杆の上端部間と前記背凭れ杆間をそれぞれ前連結杆と後連結杆で連結するとともに、水平使用状態にある座部の座フレームの一部を前記前連結杆に載支してなることも好ましい（請求項４）。
【発明の効果】
【００１１】
以上にしてなる請求項１に係る発明のスタッキング椅子は、左右一対の支持体を連結杆で連結した支持フレームと、該支持フレームで支持された座部と背凭れ部とを備えた垂直スタッキングが可能なスタッキング椅子であって、前記支持体は下方へ向けて前後に等しい角度で開いた前脚杆と後脚杆を有するとともに、前脚杆の上端から後方へ斜め上方に傾斜した傾斜杆を有し、垂直スタッキング時に上下の椅子の前脚杆同士と後脚杆同士がそれぞれ接合するとともに、上下の椅子の傾斜杆の間に隙間が形成されるので、椅子を移動させる時に手前側から傾斜杆を持ちやすく、垂直スタッキング時に傾斜杆を持って積み上げ、または積み下ろすことができるので、作業が容易にできるとともに、積み上げ時に上下の傾斜杆で指を挟むこともなく、更に垂直スタッキング時に上下の椅子の前脚杆同士と後脚杆同士がそれぞれ接合するので、安定に積み上げることができる。
【００１２】
請求項２によれば、前記傾斜杆の後端から後方斜め上方に背凭れ杆を延設し、該背凭れ杆の傾斜角度を前記前脚杆と後脚杆の開き角度以上とするとともに、前記後脚杆が前記傾斜杆の後端部の外側に張り出して固定されているので、多数の椅子を高さを抑えて垂直スタッキングすることができる。
【００１３】
請求項３によれば、前記座部は、座フレームの後端部を前記支持体の内側に位置して上下回動可能に連結し、水平使用状態と前記背凭れ部に対して略平行な跳ね上げ状態をとることが可能であり、該座部を跳ね上げ状態で前後にネスティング可能としてなるので、必要に応じて垂直スタッキングとネスティングの収納形態を選択することができる。
【００１４】
請求項４によれば、左右の前記支持体は、前記前脚杆の上端部間と前記背凭れ杆間をそれぞれ前連結杆と後連結杆で連結するとともに、水平使用状態にある座部の座フレームの一部を前記前連結杆に載支してなるので、座部を跳ね上げた状態でネスティングする際に邪魔にならない高さ位置に前連結杆を連結した場合でも、座フレームの一部を前連結杆に載支することで座部を水平使用状態に安定に支持することができる。
【図面の簡単な説明】
【００１５】
【図１】本発明に係るスタッキング椅子で、座部が水平使用状態である一部省略した斜視図である。
【図２】同じくスタッキング椅子の省略側面図である。
【図３】座部の水平使用状態と跳ね上げ状態を示す説明用側面図である。
【図４】座部の跳ね上げ状態の省略斜視図である。
【図５】垂直スタッキングした状態を示す省略側面図である。
【図６】同じく垂直スタッキングした状態を示す省略斜視図である。
【図７】垂直スタッキングした多数の椅子のうち、上部の数脚の椅子を持ち上げた状態の省略側面図である。
【図８】ネスティングした状態を示す省略側面図である。
【図９】同じくネスティングした状態を示す省略斜視図である。
【図１０】他の実施形態のスタッキング椅子を示すある一部省略した斜視図である。
【発明を実施するための形態】
【００１６】
次に、添付図面に示した実施形態に基づき、本発明を更に詳細に説明する。図１〜図４は本発明に係るスタッキング椅子の代表的実施形態を示し、図５〜図７は垂直スタッキング状態、図８及び図９はネスティング状態を示し、図中符号１は支持フレーム、２は座部、３は背凭れ部、４は支持体、５は前連結杆、６は後連結杆、７は座フレーム、８はキャスターをそれぞれ示している。尚、図３〜図９では座部２と背凭れ部３の構造は省略して示している。
【００１７】
本実施形態のスタッキング椅子は、金属製の支持フレームに、座部２を上下回動可能に保持するとともに、背凭れ部３を固定的に設けてなり、垂直スタッキング及びネスティングが可能な基本構造を有している。
【００１８】
更に詳しくは、前記スタッキング椅子は、左右一対の支持体４，４を連結杆５，６で連結した支持フレーム１と、該支持フレーム１で支持された座部２と背凭れ部３とを備えた垂直スタッキングが可能なスタッキング椅子であって、前記支持体４は下方へ向けて前後に等しい角度で開いた前脚杆９と後脚杆１０を有するとともに、前脚杆９の上端から後方へ斜め上方に傾斜した傾斜杆１１を有し、垂直スタッキング時に上下の椅子の前脚杆９，９同士と後脚杆１０，１０同士がそれぞれ接合するとともに、上下の椅子の傾斜杆１１，１１の間に隙間Ｓが形成されるものである。
【００１９】
具体的には、前記支持体４は、２本の偏平な金属杆で構成し、前記前脚杆９の上端から後方へ斜め上方に傾斜した傾斜杆１１を延設するとともに、該傾斜杆１１の後端から後方斜め上方に背凭れ杆１２を延設し、前記後脚杆１０の上端部が前記傾斜杆１１の後端部の外側に張り出して固定されている構造である。そして、前記背凭れ杆１２の傾斜角度を前記前脚杆９と後脚杆１０の開き角度以上とする。ここで、図２に前脚杆９の開き角度Ａ、後脚杆１０の開き角度Ｂ及び背凭れ杆１２の傾斜角度Ｃをそれぞれ鉛直線に対する角度として示している。前述の角度関係はＡ＝Ｂ、Ａ（又はＢ）≦Ｃで表される。尚、垂直スタッキングのみでネスティングする必要がなければ、前記後脚杆１０の上端部が前記傾斜杆１１の後端部の外側に張り出して固定されている必要はなく、前記前脚杆９と同じ横幅位置にあっても良いが、その場合には前記背凭れ杆１２は後脚杆１０よりも内側に位置する必要がある。また、前記背凭れ杆１２を前脚杆９と一体としたが、別体としても構わない。
【００２０】
そして、左右の前記支持体４，４は、前記前脚杆９，９の上端部間と前記背凭れ杆１２，１２間をそれぞれ前連結杆５と後連結杆６で連結し、強固な剛性を待たせている。また、本実施形態のスタッキング椅子は、前記前脚杆９の下端を前方へ屈曲し、その屈曲部の下方にキャスター８を設け、また前記後脚杆１０の下端も後方へ屈曲し、その屈曲部の下方にキャスター８を設けて、移動可能としている。
【００２１】
また、前記座部２は、図３及び図４に示すように、座フレーム７の後端部を前記支持体４の内側に位置して上下回動可能に連結し、水平使用状態と前記背凭れ部に対して略平行な跳ね上げ状態をとることが可能であり、該座部を跳ね上げ状態で前後にネスティング可能としている。具体的には、前記座フレーム７は、左右一対の座支持杆１３，１３の前後中間位置を座連結杆１４で連結した平面視略Ｈ字形を有し、前記座支持杆１３，１３の後部を前記支持体４，４の傾斜杆１１，１１の後端部内側に配置して枢軸１５，１５にて上下回動可能に連結している。つまり、前記枢軸１５は、前記傾斜杆１１と後脚杆１０が交差した付近に設けている。そして、前記座フレーム７の一部、具体的には下方へ若干張り出した前記座連結杆１４を前記前連結杆５に載支し、座部２を水平使用状態に保持するのである。
【００２２】
そして、前記座フレーム７に、薄くクッション性のあるシート体１６を張って座部２を構成する。同様に、両側の背凭れ杆１２，１２と後連結杆６とで構成される背フレームに、薄くクッション性のあるシート体１７を張って背凭れ部３を構成する。ここで、前記シート体１６，１７として、スリングシートを用いることが好ましいが、特に限定されるものではない。
【００２３】
このように構成した前記スタッキング椅子は、図５及び図６に示すように、高さを抑制して垂直スタッキングが可能である。垂直スタッキング状態では、前記座部２は水平使用状態のまま、下方の椅子の前脚杆９と後脚杆１０の上部に上方の椅子の前脚杆９と後脚杆１０の下部を接合状態で積み重ねることが可能である。また、垂直スタッキング状態で前記シート体１７が背凭れ杆１２より前方へ突出していない場合には、上下の椅子の背凭れ杆１２，１２同士が直接接触するが、シート体１７の端部が背凭れ杆１２より前方に位置する場合には、該シート体１７の端部を介して上下の椅子の背凭れ杆１２，１２同士が接合する。その場合、背凭れ杆１２の傾斜角度Ｃを前脚杆９の開き角度Ａよりも若干大きく設定することにより、垂直スタッキング状態の際に上下の椅子の背凭れ部３，３を接触しないようにすることも可能である。何れにしても、上下の椅子の前脚杆９，９同士と後脚杆１０，１０同士が接合するので、安定に積み上げることができる。
【００２４】
そして、図５〜図６に示すように、多数の椅子を垂直スタッキングした際には、下方の椅子の傾斜杆１１と上方の椅子の傾斜杆１１の間に隙間Ｓが形成される。左右両側に存在する前記傾斜杆１１，１１は、椅子の手前側から持ちやすく、椅子を積み上げ、積み下ろしの作業が容易になる。そして、積み上げる際には、前記隙間Ｓが存在するので、下方の椅子の傾斜杆１１の間に指を挟む恐れがなく、また積み上げ状態から上部の複数の椅子をまとめて下ろす際に傾斜杆１１，１１を容易に持ち上げることができる。図７に示すように、高く積み上げた垂直スタッキング状態の椅子の複数脚を取り出す場合、所望の椅子の左右傾斜杆１１，１１を持って、後脚杆１０の傾斜に沿って上方斜め前方へ持ち上げる動作は極めて自然である。
【００２５】
また、前記スタッキング椅子は、図８及び図９に示すように、前後に複数脚を水平スタッキングすること、即ちネスティング可能である。ここで、前記前連結杆５は。跳ね上げ状態の座部２の下端よりも低い位置に設定されている。そして、ネスティングする場合には、前記座部２は前記背凭れ部３に略平行な跳ね上げ状態とし、前方の椅子の左右両側の後脚杆１０，１０の間に、後方の椅子の左右両側の前脚杆９，９を挿入し、前方の椅子の傾斜杆１１の下部に後方の椅子の傾斜杆１１の上部が接触した状態となる。この場合、原理的に前記傾斜杆１１の傾斜角度を大きくとれないので、ネスティングにおける前後のスタッキング間隔は、上下の垂直スタッキング間隔よりも若干広くなるので、前記跳ね上げ状態の座部２の座連結杆１４が前方に突出していても、前方の椅子の背凭れ部３に強く接触しないようにできる。そして、ネスティング状態のまま、多数の椅子をまとめて前後方向へ移動させる際に、前側又は後側から押すと、前後の椅子の傾斜杆１１，１１が左右両側において接触しているので、力が傾斜杆１１を介して伝達するので安定に直列姿勢を保って移動させることができる。
【００２６】
図１０は、他の実施形態のスタッキング椅子を示している。このスタッキング椅子は、スタッキングの際に背凭れ部３がピッチ低減のネックにならないように、厚さを薄くする工夫を施した例である。つまり、偏平金属杆で作製した前記支持体４を、前脚杆９と傾斜杆１１の部分では寸法の小さな面を前後に向き、背凭れ杆１２の部分では寸法の小さな面が左右に向くように途中で９０度捩じって作製した。図示した例では、前記傾斜杆１１と背凭れ杆１２の境の近傍で捩じれ部１８を設けた。このように支持体４を構成することにより、背凭れ部３の前後の厚さを薄くすることができ、スタッキング効率を最大に高めることができる。尚、前記捩じれ部１８を設けずに、前記前脚杆９及び後脚杆１０より前記背凭れ杆１２の奥行き方向の厚さを薄くすることにより、背凭れ杆１２の傾斜角度が前記前脚杆９及び後脚杆１０の開き角度より若干小さくでも許容できる可能性はある。その他の構成は、前述の実施形態と同様であるので、同一構成には同一符号を付してその説明は省略する。
【００２７】
また、垂直スタッキング及びネスティングの際に、近接した椅子の間で接触したり、干渉する箇所に緩衝材を設け、傷付きやガタツキを防止するようにしても良い。
【符号の説明】
【００２８】
１  支持フレーム、
２  座部、
３  背凭れ部、
４  支持体、
５  前連結杆、
６  後連結杆、
７  座フレーム、
８  キャスター、
９  前脚杆、
１０  後脚杆、
１１  傾斜杆、
１２  背凭れ杆、
１３  座支持杆、
１４  座連結杆、
１５  枢軸、
１６  シート体、
１７  シート体、
１８  捩じれ部、
Ｓ  隙間。
【図１】
2011136101.tif 000003
【図２】
2011136101.tif 000004
【図３】
2011136101.tif 000005
【図４】
2011136101.tif 000006
【図５】
2011136101.tif 000007
【図６】
2011136101.tif 000008
【図７】
2011136101.tif 000009
【図８】
2011136101.tif 000010
【図９】
2011136101.tif 000011
【図１０】
2011136101.tif 000012